【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
中心軸が概ね水平になってその中心軸回りに回転駆動される筒形回転容器の内部で、粉粒体、液体、その他の流動性を有する処理対象物を流動させながら、混合、加熱、冷却、洗浄、その他の処理を行う容器回転装置において、
前記筒形回転容器の内部を第１回転室と第２回転室とに区画し、前記筒形回転容器の筒壁と一体に回転する平板状の第１終端壁と、
前記筒形回転容器に設けられて、前記第１終端壁と前記第１回転室を挟んで対向した第１始端壁と、
前記第１終端壁の外縁部に沿って円弧状に延び、前記第１回転室内に開口した第１終端開口と、前記第２回転室内に開口した第２始端開口とを両端部に、かつ、前記第１終端壁の外縁部に有し、前記処理対象物が通過可能な移送路と、
前記移送路のうち前記第２始端開口を前記第１終端開口より先行させる正回転と、その逆の逆回転とに前記筒形回転容器の回転方向を切り替えるための回転方向切替手段とを備えたことを特徴とする容器回転装置。
【請求項２】
全体が溝形構造でその長手方向の一端が閉塞された閉塞端をなす一方、他端が開口した開放端をなし、前記第１終端壁における前記第２回転室側の面の外縁部に設けられて、前記第１終端壁との間に前記移送路及び前記第２始端開口を形成する移送ダクトと、
前記第１終端壁のうち前記移送ダクトの前記閉塞端側の一端部に覆われた部分に貫通形成された前記第１終端開口とを備えたことを特徴とする請求項１に記載の容器回転装置。
【請求項３】
前記移送ダクトにおける前記第１終端壁と対向する対向壁に前記閉塞端側の端部が、長手方向における前記閉塞端寄り位置から前記閉塞端に向かうに従って徐々に前記第１終端壁に接近するように傾斜した構成となっていることを特徴とする請求項２に記載の容器回転装置。
【請求項４】
前記移送路を２つ備え、
それら移送路の第１終端開口を前記中心軸に対して点対称な位置に備えたことを特徴とする請求項１乃至３の何れか１の請求項に記載の容器回転装置。
【請求項５】
前記第１終端壁に前記移送路を複数備えたことを特徴とする請求項１乃至３の何れか１の請求項に記載の容器回転装置。
【請求項６】
前記第１回転室における前記筒壁の内側面に沿って前記中心軸回りに螺旋状に延び、前記筒形回転容器を正回転させたときに前記第１回転室内の前記処理対象物を前記第１終端壁から離れる側に推進させる一方、前記筒形回転容器を逆回転させたときに前記第１回転室内の前記処理対象物を前記第１終端壁側に推進させる第１螺旋ガイドと、
前記第２回転室における前記筒壁の内側面に沿って前記中心軸回りに螺旋状に延び、前記筒形回転容器を正回転させたときに前記第２回転室内の前記処理対象物を前記第１終端壁側に推進させる一方、前記筒形回転容器を逆回転させたときに前記第２回転室内の前記処理対象物を前記第１終端壁から離れる側に推進させる第２螺旋ガイドとを備えたことを特徴とする請求項１乃至５の何れか１の請求項に記載の容器回転装置。
【請求項７】
前記第１終端開口における前記逆回転方向の後側縁部に端部が接続された前記第１螺旋ガイドと、前記第２始端開口における前記正回転方向の後側縁部に端部が接続された前記第２螺旋ガイドとの一方又は両方を備えたことを特徴とする請求項６に記載の容器回転装置。
【請求項８】
前記第１回転室のうち前記第１螺旋ガイドの内側でその第１螺旋ガイドとは逆巻の螺旋状に延び、前記筒形回転容器を正回転させたときに前記第１回転室内の前記処理対象物を前記第１終端壁側に推進させる一方、前記筒形回転容器を逆回転させたときに前記第１回転室内の前記処理対象物を前記第１終端壁から離れる側に推進させる第１サブ螺旋ガイドを備えたことを特徴とする請求項６又は７に記載の容器回転装置。
【請求項９】
前記筒形回転容器を前記正回転させたときの進行方向の前方に向かって開口した前記第２始端開口と、前記筒形回転容器を前記逆回転させたときの進行方向の前方に向かって開口した前記第１終端開口との一方又は両方を備えたことを特徴とする請求項１乃至８の何れか１の請求項に記載の容器回転装置。
【請求項１０】
前記第１始端壁の中心に貫通形成されたセンター孔と、
前記第１回転室のうち前記センター孔の延長線上の筒内中心部に、プラズマ、光エネルギー、過熱水蒸気、ミスト、火炎、イオン、ガス、塗料、その他の処理雰囲気を生成する雰囲気生成手段と、
前記第１回転室内に設けられ、前記筒形回転容器と一体に回転し、前記筒形回転容器が前記正回転した場合に、前記第１回転室内の下部に溜まった前記処理対象物をすくい上げて前記筒内中心部に向けて流下させるリフターとを備えたことを特徴とする請求項１乃至９の何れか１の請求項に記載の容器回転装置。
【請求項１１】
前記第１終端壁の中心に固定され、前記センター孔より大きな先端開口を有し、前記雰囲気生成手段としての噴射ノズルから噴射された噴射物質を前記第１回転室の内側中心部の周囲に向けて反射する椀形反射部材を備え、
前記第１終端壁から突出し、前記椀形反射部材を支持する反射部材支持突部と、
前記第１終端壁のうち前記椀形反射部材との対向位置に貫通形成された通気孔と、
前記筒形回転容器に設けられて、前記筒壁のうち前記第２回転室における前記第１終端壁と反対側の端部が回転可能に連結され、前記第１終端壁との間に前記第２回転室を挟んで対向した第２終端壁を有すると共に上下方向が常に一定に固定された固定蓋と、
前記固定蓋の下端部に設けられ、前記処理対象物を排出するための排出口と、
前記固定蓋の上端部に設けられ、前記筒形回転容器内のガスを排気するための排気口と、を備えたことを特徴とする請求項１０に記載の容器回転装置。
【請求項１２】
前記第２終端壁を貫通して延びた供給管を有し、前記供給管を通して前記第２終端壁内に前記処理対象物を供給する処理対象物フィーダーを備えたことを特徴とする請求項１１に記載の容器回転装置。
【請求項１３】
前記処理対象物を加熱するための前記処理雰囲気を生成する前記雰囲気生成手段と、
前記処理雰囲気によって加熱された前記処理対象物を冷却するための冷却水を貯留する前記第１回転室とを備えたことを特徴とする請求項１０乃至１２の何れか１の請求項に記載の容器回転装置。
【請求項１４】
凝固液を貯留する前記第１回転室と、
前記第１始端壁の中心に貫通形成されたセンター孔と、
溶融した樹脂、金属、その他の溶融物の液滴又は、前記凝固液との反応で凝固可能な溶液の液滴を前記センター孔を通して前記第１回転室内の前記凝固液に注ぐ液滴注出手段とを備えたことを特徴とする請求項１乃至９の何れか１の請求項に記載の容器回転装置。
【請求項１５】
前記第２回転室における前記筒壁の内側面から張り出して、前記第１終端壁との間で前記凝固液を貯留する貯液用の第２螺旋ガイドを備えたことを特徴とする請求項１３又は１４に記載の容器回転装置。
【請求項１６】
前記第２回転室内のうち前記貯液用の第２螺旋ガイドと前記第１終端壁との間に前記凝固液を供給するための凝固液供給管と、
前記第２回転室内のうち前記貯液用の第２螺旋ガイドと前記第１終端壁との間における前記凝固液の液面位置を検出する浮球と、
前記凝固液供給管の先端部に設けられ、前記浮球の位置が基準位置より下方に位置したときに開状態になって前記凝固液供給管から凝固液を供給させる一方、前記浮球が前記基準位置以上に位置したときに閉状態になって前記凝固液供給管からの凝固液の供給を停止させる開閉弁とを備えたことを特徴とする請求項１５に記載の容器回転装置。
【請求項１７】
前記筒壁の下方に設けられかつ上面が開口し、冷却水を貯留した冷却水貯留容器と、
前記筒壁から側方に張り出し、前記筒形回転容器が回転したときに前記冷却水貯留容器内の冷却水を順次に汲み上げて前記筒壁の外面に掛ける複数のバケットとを備えたことを特徴とする請求項１乃至１６の何れか１の請求項に記載の容器回転装置。
【請求項１８】
前記第１始端壁の中心に貫通形成されたセンター孔と、
前記センター孔に挿通された液体供給管と、
前記液体供給管の先端部に設けられ、前記第１回転室内の最下部より前記正回転方向の前側位置に向けて斜め下方に霧、液、ガスを噴出する吹付ノズルとを備えたことを特徴とする請求項１乃至９の何れか１の請求項に記載の容器回転装置。
【請求項１９】
前記筒形回転容器の前記筒壁と一体に回転する前記第１始端壁と、
前記第１始端壁の中心に貫通形成されたセンター孔と、
一端部が前記センター孔内に受容されて、前記センター孔の外側斜め下方に向かって延びた流下樋と、
前記第１回転室内に設けられ、前記筒形回転容器と一体に回転し、前記筒形回転容器が前記正回転した場合に、前記第１回転室内の下部に溜まった前記処理対象物をすくい上げて前記流下樋に向けて流下させるリフターとを備えたことを特徴とする請求項１乃至９の何れか１の請求項に記載の容器回転装置。
【請求項２０】
前記第１始端壁の中心に貫通形成されたセンター孔と、
前記センター孔に挿通され、前記第１回転室内で回転する回転シャフトと、
前記回転シャフトから側方に張り出した粉砕ブレードと、
前記第１回転室内に設けられ、前記筒形回転容器と一体に回転し、前記筒形回転容器が前記正回転した場合に、前記第１回転室内の下部に溜まった前記処理対象物をすくい上げて前記粉砕ブレードに向けて流下させるリフターとを備えたことを特徴とする請求項１乃至９の何れか１の請求項に記載の容器回転装置。
【請求項２１】
前記筒壁の外面に宛われて放射熱で前記筒形回転容器を加熱する加熱源を備えたことを特徴とする請求項１乃至１２の何れか１の請求項に記載の容器回転装置。
【請求項２２】
前記第１始端壁の中心に貫通形成されたセンター孔と、
前記センター孔に挿通され、前記第１回転室内で発熱する内部ヒーター又は、前記第１回転室内で発光する紫外線ランプ、赤外線ランプ、レーザー又は、光ファイバー、ミラー等の光伝達手段又は、前記第１回転室内にガスを噴射するガス噴射ノズルを備えたことを特徴とする請求項１乃至１２の何れか１の請求項に記載の容器回転装置。
【請求項２３】
前記第２回転室の中心部に沿って延びた円錐台形状をなして、その小径側端部が前記第１終端壁に固定されて前記第１終端壁と一体に回転すると共に、大径側端部の開口が前記処理対象物を前記第２回転室外に排出するための排出大開口になったアウターコーンと、
前記第２回転室の中心部に沿って延びた円錐台形状をなして、前記アウターコーンの内側に配置され、大径側端部が前記第１終端壁に固定されて前記第１終端壁と一体に回転するメッシュ構造のインナーコーンと、
前記第１終端壁のうち前記インナーコーンに囲まれた部分に貫通形成され、前記インナーコーンの篩目を通過しなかった前記処理対象物を前記第１回転室に受け入れるための戻し孔と、
前記第１終端壁の中心部から径方向に沿って延び、途中で前記正回転方向の前側に屈曲して前記第１終端壁の外縁部に沿って円弧状に延びたサブ移送路と、
前記サブ移送路のうち円弧状部分の先端に設けられて前記第１回転室内に開口した第１終端サブ開口と、
前記サブ移送路のうち前記第１終端サブ開口の反対側の端部に設けられて、前記インナーコーン内に連通した第２始端サブ開口とを備え、
前記第１回転室には、前記インナーコーンの篩目より大きな粒状の粉砕メディアを収容したことを特徴とする請求項１乃至２２の何れか１の請求項に記載の容器回転装置。
【請求項２４】
前記第１回転室内に充填されかつ液状の前記処理対象物が流下可能な空隙を有する充填部材と、
前記第１始端壁の中心に貫通形成されたセンター孔と、
前記第１終端壁の中心に貫通形成された終端センター孔と、
前記センター孔から前記第１回転室内にガスを供給するためのガス供給手段と、
前記終端センター孔から前記第２回転室内に流入した前記ガスを排気するための排気口とを備えたことを特徴とする請求項１乃至９の何れか１の請求項に記載の容器回転装置。  
【請求項２５】
前記筒形回転容器の回転に伴って自重で移動して、前記筒形回転容器に衝撃を付与する打撃子を備えたことを特徴とする請求項１乃至９に記載の容器回転装置。
【請求項２６】
前記筒形回転容器から排気されたガスに含まれる粒子状物質を遠心分離する遠心力集塵部と、
前記ガスに含まれる前記粒子状物質をフィルターにて濾過分離する１対のフィルター集塵部と、
前記フィルターに前記ガスの通過方向とは逆向きにエアを通過させて前記フィルターに付着した前記粒子状物質を払い落とすための逆洗手段と、
前記フィルターから払い落とされた前記粒子状物質を貯留する粒子貯留容器と、
前記１対のフィルター集塵部の何れか一方と前記遠心力集塵部との間を連通させかつ他方と前記遠心力集塵部との間を遮断することが可能な切替バルブとを備えたことを特徴とする請求項１乃至９の何れかに記載の容器回転装置。
【請求項２７】
水平な回転軸回りで回転駆動される回転受容部と、
前記回転受容部の内側に挿抜可能に受容されて、前記回転受容部と一体回転するか又は前記回転受容部の内側で転動する前記筒形回転容器とを備えたことを特徴とする請求項１乃至９の何れか１の請求項に記載の容器回転装置。
【請求項２８】
前記第１始端壁の中心に貫通形成されたセンター孔と、
前記第１終端壁の中心に貫通形成された終端センター孔と、
前記センター孔及び前記終端センター孔に挿通され、前記第１回転室内で回転する回転シャフトと、
前記回転シャフトに固定された撹拌部材とを備えたことを特徴とする請求項１乃至９の何れか１の請求項に記載の容器回転装置。
【請求項２９】
前記筒形回転容器の前記第１始端壁と前記第１終端壁とに設けられて、前記第１回転室に貯留された電解液に接液可能な１対のリング形電極を備えたことを特徴とする請求項１乃至９の何れか１の請求項に記載の容器回転装置。
【請求項３０】
前記第１回転室の筒壁内面から中心部に向かって略板状に突出しかつ、前記筒形回転容器の軸方向で所定の隙間を空けて配置された複数の撹拌板と、前記複数の各撹拌板に設けられて、それら撹拌板の並び方向で所定のギャップを空けて突き合わされた放電電極対とを備えたことを特徴とする請求項１乃至９の何れか１の請求項に記載の容器回転装置。
【請求項３１】
前記第１回転室内に配置された陰極電極及び陽極電極と、
前記第１回転室に貯留された導電性液体中にそれら陰極電極と陽極電極とを浸漬した状態で、陰極電極と陽極電極との間に電圧を印加して陰極電極の近傍にプラズマを発生させるためのプラズマ用電源とを備えたことを特徴とする請求項１乃至９の何れかに記載の容器回転装置。
【請求項３２】
前記筒形回転容器の外側に配置されたマイクロ波照射装置と、
前記第１回転室内に配置され、マイクロ波を捕捉して前記第１回転室内に貯留された液体中に定常波を発生させるアンテナとを備えたことを特徴とする請求項１乃至９の何れか１の請求項に記載の容器回転装置。
【請求項３３】
前記第１回転室内に設けられかつ、前記第１回転室に貯留された液体に浸漬されてその液体中に超音波を放射する超音波放射手段と、
前記第１回転室に貯留された液体に浸漬されてその液体中に光を照射する光照射手段とを備えたことを特徴とする請求項１乃至９の何れか１の請求項に記載の容器回転装置。
【請求項３４】
前記筒形回転容器の外面のうち少なくとも前記第１回転室の側方部分を覆って前記筒形回転容器と一体回転すると共に、内部に熱媒体を循環させることで前記筒形回転容器を加熱又は冷却するための熱交換ジャケットを備えたことを特徴とする請求項１乃至９の何れか１の請求項に記載の容器回転装置。
【請求項３５】
前記筒形回転容器を前記中心軸方向で複数分割してなる容器構成体と、
前記容器構成体同士を固定するための固定手段とを備えたことを特徴とする請求項１乃至９の何れか１の請求項に記載に容器回転装置。
【請求項３６】
前記複数の容器構成体の少なくとも１つは構造を異ならせて複数種類設けられ、
前記筒形回転容器を構成する前記複数の容器構成体の組み合わせを変更可能としたことを特徴とする請求項３５に記載の容器回転装置。
【手続補正２】
【補正対象書類名】明細書
【補正対象項目名】０００６
【補正方法】変更
【補正の内容】
【０００６】
上記目的を達成するためになされた請求項１の発明に係る容器回転装置は、中心軸が概ね水平になってその中心軸回りに回転駆動される筒形回転容器の内部で、粉粒体、液体、その他の流動性を有する処理対象物を流動させながら、混合、加熱、冷却、洗浄、その他の処理を行う容器回転装置において、筒形回転容器の内部を第１回転室と第２回転室とに区画し、筒形回転容器の筒壁と一体に回転する平板状の第１終端壁と、筒形回転容器に設けられて、第１終端壁と第１回転室を挟んで対向した第１始端壁と、第１終端壁の外縁部に沿って円弧状に延び、第１回転室内に開口した第１終端開口と、第２回転室内に開口した第２始端開口とを両端部に、かつ、第１終端壁の外縁部に有し、処理対象物が通過可能な移送路と、移送路のうち第２始端開口を第１終端開口より先行させる正回転と、その逆の逆回転とに筒形回転容器の回転方向を切り替えるための回転方向切替手段とを備えたところに特徴を有する。
請求項２の発明は、請求項１に記載の容器回転装置において、全体が溝形構造でその長手方向の一端が閉塞された閉塞端をなす一方、他端が開口した開放端をなし、第１終端壁における第２回転室側の面の外縁部に設けられて、第１終端壁との間に移送路及び第２始端開口を形成する移送ダクトと、第１終端壁のうち移送ダクトの閉塞端側の一端部に覆われた部分に貫通形成された第１終端開口とを備えたところに特徴を有する。
請求項３の発明は、請求項２に記載の容器回転装置において、移送ダクトにおける第１終端壁と対向する対向壁に閉塞端側の端部が、長手方向における閉塞端寄り位置から閉塞端に向かうに従って徐々に第１終端壁に接近するように傾斜した構成となっているところに特徴を有する。
請求項４の発明は、請求項１乃至３の何れか１の請求項に記載の容器回転装置において、移送路を２つ備え、それら移送路の第１終端開口を中心軸に対して点対称な位置に備えたところに特徴を有する。
請求項５の発明は、請求項１乃至３の何れか１の請求項に記載の容器回転装置において、第１終端壁に移送路を複数備えたところに特徴を有する。
【手続補正３】
【補正対象書類名】明細書
【補正対象項目名】０００７
【補正方法】変更
【補正の内容】
【０００７】
請求項６の発明は、請求項１乃至５の何れか１の請求項に記載の容器回転装置において、第１回転室における筒壁の内側面に沿って中心軸回りに螺旋状に延び、筒形回転容器を正回転させたときに第１回転室内の処理対象物を第１終端壁から離れる側に推進させる一方、筒形回転容器を逆回転させたときに第１回転室内の処理対象物を第１終端壁側に推進させる第１螺旋ガイドと、第２回転室における筒壁の内側面に沿って中心軸回りに螺旋状に延び、筒形回転容器を正回転させたときに第２回転室内の処理対象物を第１終端壁側に推進させる一方、筒形回転容器を逆回転させたときに第２回転室内の処理対象物を第１終端壁から離れる側に推進させる第２螺旋ガイドとを備えたところに特徴を有する。
【手続補正４】
【補正対象書類名】明細書
【補正対象項目名】０００８
【補正方法】変更
【補正の内容】
【０００８】
請求項７の発明は、請求項６に記載の容器回転装置において、第１終端開口における逆回転方向の後側縁部に端部が接続された第１螺旋ガイドと、第２始端開口における正回転方向の後側縁部に端部が接続された第２螺旋ガイドとの一方又は両方を備えたところに特徴を有する。
【手続補正５】
【補正対象書類名】明細書
【補正対象項目名】０００９
【補正方法】変更
【補正の内容】
【０００９】
請求項８の発明は、請求項６又は７に記載の容器回転装置において、第１回転室のうち第１螺旋ガイドの内側でその第１螺旋ガイドとは逆巻の螺旋状に延び、筒形回転容器を正回転させたときに第１回転室内の処理対象物を第１終端壁側に推進させる一方、筒形回転容器を逆回転させたときに第１回転室内の処理対象物を第１終端壁から離れる側に推進させる第１サブ螺旋ガイドを備えたところに特徴を有する。
【手続補正６】
【補正対象書類名】明細書
【補正対象項目名】００１０
【補正方法】変更
【補正の内容】
【００１０】
請求項９の発明は、請求項１乃至８の何れか１の請求項に記載の容器回転装置において、筒形回転容器を正回転させたときの進行方向の前方に向かって開口した第２始端開口と、筒形回転容器を逆回転させたときの進行方向の前方に向かって開口した第１終端開口との一方又は両方を備えたところに特徴を有する。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項１０の発明は、請求項１乃至９の何れか１の請求項に記載の容器回転装置において、第１始端壁の中心に貫通形成されたセンター孔と、第１回転室のうちセンター孔の延長線上の筒内中心部に、プラズマ、光エネルギー、過熱水蒸気、ミスト、火炎、イオン、ガス、塗料、その他の処理雰囲気を生成する雰囲気生成手段と、第１回転室内に設けられ、筒形回転容器と一体に回転し、筒形回転容器が正回転した場合に、第１回転室内の下部に溜まった処理対象物をすくい上げて筒内中心部に向けて流下させるリフターとを備えたところに特徴を有する。
【手続補正１０】
【補正対象書類名】明細書
【補正対象項目名】００１４
【補正方法】変更
【補正の内容】
【００１４】
請求項１１の発明は、請求項１０に記載の容器回転装置において、第１終端壁の中心に固定され、センター孔より大きな先端開口を有し、雰囲気生成手段としての噴射ノズルから噴射された噴射物質を第１回転室の内側中心部の周囲に向けて反射する椀形反射部材を備え、第１終端壁から突出し、椀形反射部材を支持する反射部材支持突部と、第１終端壁のうち椀形反射部材との対向位置に貫通形成された通気孔と、筒形回転容器に設けられて、筒壁のうち第２回転室における第１終端壁と反対側の端部が回転可能に連結され、第１終端壁との間に第２回転室を挟んで対向した第２終端壁を有すると共に上下方向が常に一定に固定された固定蓋と、固定蓋の下端部に設けられ、処理対象物を排出するための排出口と、固定蓋の上端部に設けられ、筒形回転容器内のガスを排気するための排気口と、を備えたところに特徴を有する。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
請求項１２の発明は、請求項１１に記載の容器回転装置において、第２終端壁を貫通して延びた供給管を有し、供給管を通して第２終端壁内に処理対象物を供給する処理対象物フィーダーを備えたところに特徴を有する。
【手続補正１３】
【補正対象書類名】明細書
【補正対象項目名】００１７
【補正方法】変更
【補正の内容】
【００１７】
請求項１３の発明は、請求項１０乃至１２の何れか１の請求項に記載の容器回転装置において、処理対象物を加熱するための処理雰囲気を生成する雰囲気生成手段と、処理雰囲気によって加熱された処理対象物を冷却するための冷却水を貯留する第１回転室とを備えたところに特徴を有する。
【手続補正１４】
【補正対象書類名】明細書
【補正対象項目名】００１８
【補正方法】変更
【補正の内容】
【００１８】
請求項１４の発明は、請求項１乃至９の何れか１の請求項に記載の容器回転装置において、凝固液を貯留する第１回転室と、第１始端壁の中心に貫通形成されたセンター孔と、溶融した樹脂、金属、その他の溶融物の液滴又は、凝固可能な溶液の液滴をセンター孔を通して第１回転室内の凝固液に注ぐ液滴注出手段とを備えたところに特徴を有する。
【手続補正１５】
【補正対象書類名】明細書
【補正対象項目名】００１９
【補正方法】変更
【補正の内容】
【００１９】
請求項１５の発明は、請求項１３又は１４に記載の容器回転装置において、第２回転室における筒壁の内側面から張り出して、第１終端壁との間で凝固液を貯留する貯液用の第２螺旋ガイドを備えたところに特徴を有する。
【手続補正１６】
【補正対象書類名】明細書
【補正対象項目名】００２０
【補正方法】変更
【補正の内容】
【００２０】
請求項１６の発明は、請求項１５に記載の容器回転装置において、第２回転室内のうち貯液用の第２螺旋ガイドと第１終端壁との間に凝固液を供給するための凝固液供給管と、第２回転室内のうち貯液用の第２螺旋ガイドと第１終端壁との間における凝固液の液面位置を検出する浮球と、凝固液供給管の先端部に設けられ、浮球の位置が基準位置より下方に位置したときに開状態になって凝固液供給管から凝固液を供給させる一方、浮球が基準位置以上に位置したときに閉状態になって凝固液供給管からの凝固液の供給を停止させる開閉弁とを備えたところに特徴を有する。
【手続補正１７】
【補正対象書類名】明細書
【補正対象項目名】００２１
【補正方法】変更
【補正の内容】
【００２１】
請求項１７の発明は、請求項１乃至１６の何れか１の請求項に記載の容器回転装置において、筒壁の下方に設けられかつ上面が開口し、冷却水を貯留した冷却水貯留容器と、筒壁から側方に張り出し、筒形回転容器が回転したときに冷却水貯留容器内の冷却水を順次に汲み上げて筒壁の外面に掛ける複数のバケットとを備えたところに特徴を有する。
【手続補正１８】
【補正対象書類名】明細書
【補正対象項目名】００２２
【補正方法】変更
【補正の内容】
【００２２】
請求項１８の発明は、請求項１乃至９の何れか１の請求項に記載の容器回転装置において、第１始端壁の中心に貫通形成されたセンター孔と、センター孔に挿通された液体供給管と、液体供給管の先端部に設けられ、第１回転室内の最下部より正回転方向の前側位置に向けて斜め下方に霧、液、ガスを噴出する吹付ノズルとを備えたところに特徴を有する。
【手続補正１９】
【補正対象書類名】明細書
【補正対象項目名】００２３
【補正方法】変更
【補正の内容】
【００２３】
請求項１９の発明は、請求項１乃至９の何れか１の請求項に記載の容器回転装置において、筒形回転容器の筒壁と一体に回転する第１始端壁と、第１始端壁の中心に貫通形成されたセンター孔と、一端部がセンター孔内に受容されて、センター孔の外側斜め下方に向かって延びた流下樋と、第１回転室内に設けられ、筒形回転容器と一体に回転し、筒形回転容器が正回転した場合に、第１回転室内の下部に溜まった処理対象物をすくい上げて流下樋に向けて流下させるリフターとを備えたところに特徴を有する。
【手続補正２０】
【補正対象書類名】明細書
【補正対象項目名】００２４
【補正方法】変更
【補正の内容】
【００２４】
請求項２０の発明は、請求項１乃至９の何れか１の請求項に記載の容器回転装置において、第１始端壁の中心に貫通形成されたセンター孔と、センター孔に挿通され、第１回転室内で回転する回転シャフトと、回転シャフトから側方に張り出した粉砕ブレードと、第１回転室内に設けられ、筒形回転容器と一体に回転し、筒形回転容器が正回転した場合に、第１回転室内の下部に溜まった処理対象物をすくい上げて粉砕ブレードに向けて流下させるリフターとを備えたところに特徴を有する。
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
請求項２１の発明は、請求項１乃至１２の何れか１の請求項に記載の容器回転装置において、筒壁の外面に宛われて放射熱で筒形回転容器を加熱する加熱源を備えたところに特徴を有する。
【手続補正２４】
【補正対象書類名】明細書
【補正対象項目名】００２８
【補正方法】変更
【補正の内容】
【００２８】
請求項２２の発明は、請求項１乃至１２の何れか１の請求項に記載の容器回転装置において、第１始端壁の中心に貫通形成されたセンター孔と、センター孔に挿通され、第１回転室内で発熱する内部ヒーター又は、前記第１回転室内で発光する紫外線ランプ、赤外線ランプ、レーザー又は、光ファイバー、ミラー等の光伝達手段又は、前記第１回転室内にガスを噴射するガス噴射ノズルとを備えたところに特徴を有する。
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】変更
【補正の内容】
【００３１】
請求項２３の発明は、請求項１乃至２２の何れか１の請求項に記載の容器回転装置において、第２回転室の中心部に沿って延びた円錐台形状をなして、その小径側端部が第１終端壁に固定されて第１終端壁と一体に回転すると共に、大径側端部の開口が処理対象物を第２回転室外に排出するための排出大開口になったアウターコーンと、第２回転室の中心部に沿って延びた円錐台形状をなして、アウターコーンの内側に配置され、大径側端部が第１終端壁に固定されて第１終端壁と一体に回転するメッシュ構造のインナーコーンと、第１終端壁のうちインナーコーンに囲まれた部分に貫通形成され、インナーコーンの篩目を通過しなかった処理対象物を第１回転室に受け入れるための戻し孔と、第１終端壁の中心部から径方向に沿って延び、途中で正回転方向の前側に屈曲して第１終端壁の外縁部に沿って円弧状に延びたサブ移送路と、サブ移送路のうち円弧状部分の先端に設けられて第１回転室内に開口した第１終端サブ開口と、サブ移送路のうち第１終端サブ開口の反対側の端部に設けられて、インナーコーン内に連通した第２始端サブ開口とを備え、第１回転室には、インナーコーンの篩目より大きな粒状の粉砕メディアを収容したところに特徴を有する。
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】変更
【補正の内容】
【００３４】
請求項２４の発明は、請求項１乃至９の何れか１の請求項に記載の容器回転装置において、第１回転室内に充填されかつ液状の処理対象物が流下可能な空隙を有する充填部材と、第１始端壁の中心に貫通形成されたセンター孔と、第１終端壁の中心に貫通形成された終端センター孔と、センター孔から第１回転室内にガスを供給するためのガス供給手段と、終端センター孔から第２回転室内に流入したガスを排気するための排気口とを備えたところに特徴を有する。
【手続補正３１】
【補正対象書類名】明細書
【補正対象項目名】００３５
【補正方法】変更
【補正の内容】
【００３５】
請求項２５の発明は、請求項１乃至９の何れか１の請求項に記載の容器回転装置において、筒形回転容器の回転に伴って自重で移動して、筒形回転容器に衝撃を付与する打撃子を備えたところに特徴を有する。
【手続補正３２】
【補正対象書類名】明細書
【補正対象項目名】００４０
【補正方法】変更
【補正の内容】
【００４０】
請求項２６の発明は、請求項１乃至９の何れか１の請求項に記載の容器回転装置において、筒形回転容器から排気されたガスに含まれる粒子状物質を遠心分離する遠心力集塵部と、ガスに含まれる粒子状物質をフィルターにて濾過分離する１対のフィルター集塵部と、フィルターにガスの通過方向とは逆向きにエアを通過させてフィルターに付着した粒子状物質を払い落とすための逆洗手段と、フィルターから払い落とされた粒子状物質を貯留する粒子貯留容器と、１対のフィルター集塵部の何れか一方と遠心力集塵部との間を連通させかつ他方と遠心力集塵部との間を遮断することが可能な切替バルブとを備えたところに特徴を有する。
【手続補正３３】
【補正対象書類名】明細書
【補正対象項目名】００４１
【補正方法】変更
【補正の内容】
【００４１】
請求項２７の発明は、請求項１乃至９の何れか１の請求項に記載の容器回転装置において、水平な回転軸回りで回転駆動される回転受容部と、回転受容部の内側に挿抜可能に受容されて、回転受容部と一体回転するか又は回転受容部の内側で転動する筒形回転容器とを備えたところに特徴を有する。
【手続補正３４】
【補正対象書類名】明細書
【補正対象項目名】００４２
【補正方法】変更
【補正の内容】
【００４２】
請求項２８の発明は、請求項１乃至９の何れか１の請求項に記載の容器回転装置において、第１始端壁の中心に貫通形成されたセンター孔と、第１終端壁の中心に貫通形成された終端センター孔と、センター孔及び終端センター孔に挿通され、第１回転室内で回転する回転シャフトと、回転シャフトに固定された撹拌部材とを備えたところに特徴を有する。
【手続補正３５】
【補正対象書類名】明細書
【補正対象項目名】００４３
【補正方法】変更
【補正の内容】
【００４３】
請求項２９の発明は、請求項１乃至９の何れか１の請求項に記載の容器回転装置において、筒形回転容器の第１始端壁と第１終端壁とに設けられて、第１回転室に貯留された電解液に接液可能な１対のリング形電極を備えところに特徴を有する。
【手続補正３６】
【補正対象書類名】明細書
【補正対象項目名】００４４
【補正方法】変更
【補正の内容】
【００４４】
請求項３０の発明は、請求項１乃至９の何れか１の請求項に記載の容器回転装置において、第１回転室の筒壁内面から中心部に向かって略板状に突出しかつ、筒形回転容器の軸方向で所定の隙間を空けて配置された複数の撹拌板と、複数の各撹拌板に設けられて、それら撹拌板の並び方向で所定のギャップを空けて突き合わされた放電電極対とを備えたところに特徴を有する。
【手続補正３７】
【補正対象書類名】明細書
【補正対象項目名】００４５
【補正方法】変更
【補正の内容】
【００４５】
請求項３１の発明は、請求項１乃至９の何れか１の請求項に記載の容器回転装置において、第１回転室内に配置された陰極電極及び陽極電極と、第１回転室に貯留された導電性液体中にそれら陰極電極と陽極電極とを浸漬した状態で、陰極電極と陽極電極との間に電圧を印加して陰極電極の近傍にプラズマを発生させるためのプラズマ用電源とを備えたところに特徴を有する。
【手続補正３８】
【補正対象書類名】明細書
【補正対象項目名】００４６
【補正方法】変更
【補正の内容】
【００４６】
請求項３２の発明は、請求項１乃至９の何れか１の請求項に記載の容器回転装置において、筒形回転容器の外側に配置されたマイクロ波照射装置と、第１回転室内に配置され、マイクロ波を捕捉して第１回転室内に貯留された液体中に定常波を発生させるアンテナとを備えたところに特徴を有する。
【手続補正３９】
【補正対象書類名】明細書
【補正対象項目名】００４７
【補正方法】変更
【補正の内容】
【００４７】
請求項３３の発明は、請求項１乃至９の何れか１の請求項に記載の容器回転装置において、第１回転室内に設けられかつ、第１回転室に貯留された液体に浸漬されてその液体中に超音波を放射する超音波放射手段と、第１回転室に貯留された液体に浸漬されてその液体中に光を照射する光照射手段とを備えたところに特徴を有する。
【手続補正４０】
【補正対象書類名】明細書
【補正対象項目名】００４８
【補正方法】変更
【補正の内容】
【００４８】
請求項３４の発明は、請求項１乃至９の何れか１の請求項に記載の容器回転装置において、筒形回転容器の外面のうち少なくとも第１回転室の側方部分を覆って筒形回転容器と一体回転すると共に、内部に熱媒体を循環させることで筒形回転容器を加熱又は冷却するための熱交換ジャケットを備えたところに特徴を有する。
【手続補正４１】
【補正対象書類名】明細書
【補正対象項目名】００４９
【補正方法】変更
【補正の内容】
【００４９】
請求項３５の発明は、請求項１乃至９の何れか１の請求項に記載の容器回転装置において、筒形回転容器を中心軸方向で複数分割してなる容器構成体と、容器構成体同士を固定するための固定手段とを備えたところに特徴を有する。
【手続補正４２】
【補正対象書類名】明細書
【補正対象項目名】００５０
【補正方法】変更
【補正の内容】
【００５０】
請求項３６の発明は、請求項３５に記載の容器回転装置において、複数の容器構成体の少なくとも１つは構造を異ならせて複数種類設けられ、筒形回転容器を構成する複数の容器構成体の組み合わせを変更可能としたところに特徴を有する。
【手続補正４３】
【補正対象書類名】明細書
【補正対象項目名】００５２
【補正方法】変更
【補正の内容】
【００５２】
つまり、筒形回転容器を正回転させている間は、処理対象物を第１回転室内に留めて流動させながら、混合、加熱、冷却、洗浄、その他の処理を行うことができ、筒形回転容器を逆回転させることで、処理対象物を第１回転室から排出させることができる。このように、処理対象物の取り出しを機械的操作で行うことができるから、処理対象物の取り出しが従来より容易になる。
［請求項５の発明］
請求項５の発明によれば、複数の移送路を備えたことで、第１回転室から第２回転室への処理対象物の移送を迅速に行うことができる。
【手続補正４４】
【補正対象書類名】明細書
【補正対象項目名】００５３
【補正方法】変更
【補正の内容】
【００５３】
［請求項６の発明］
請求項６の発明によれば、筒形回転容器を逆回転させたときに第１回転室内の処理対象物を第１終端壁側に推進させる第１螺旋ガイドと、第２回転室内の処理対象物を第１終端壁から離れる側に推進させる第２螺旋ガイドとを備えたから、筒形回転容器からの処理対象物の取り出しをスムーズに行うことができる。
【手続補正４５】
【補正対象書類名】明細書
【補正対象項目名】００５４
【補正方法】変更
【補正の内容】
【００５４】
［請求項７の発明］
請求項７の発明によれば、第１螺旋ガイドの端部を、第１終端開口における逆回転方向の後側縁部に接続することで、筒形回転容器を逆回転させたときに、処理対象物を第１終端開口に向けて推進させることができる。また、第２螺旋ガイドの端部を、第２始端開口における正回転方向の後側縁部に接続することで、筒形回転容器を正回転させたときに、処理対象物を第２始端開口に向けて推進することができる。
【手続補正４６】
【補正対象書類名】明細書
【補正対象項目名】００５５
【補正方法】変更
【補正の内容】
【００５５】
［請求項８の発明］
請求項８の発明によれば、筒形回転容器を回転させた場合に、第１回転室の下部に溜まった処理対象物の下層部分と上層又は中層部分とを筒形回転容器の中心軸方向で互いに逆向きに移動させることができ、筒形回転容器の回転による相乗効果で、処理対象物を三次元的に移動させて流動撹拌することができる。
【手続補正４７】
【補正対象書類名】明細書
【補正対象項目名】００５６
【補正方法】変更
【補正の内容】
【００５６】
［請求項９の発明］
請求項９の発明によれば、第２始端開口を、筒形回転容器を正回転させたときの進行方向の前方に向かって開口させることで、筒形回転容器を正回転させた場合に、処理対象物を移送路の第２始端開口から第１終端開口に向けて移動させる推進力を得ることができる。また、第１終端開口を、筒形回転容器を逆回転させたときの進行方向の前方に向かって開口させることで、筒形回転容器を逆回転させた場合に、処理対象物を移送路の第１終端開口から第２始端開口に向けて移動させる推進力を得ることができる。
【手続補正４８】
【補正対象書類名】明細書
【補正対象項目名】００５７
【補正方法】削除
【補正の内容】
【手続補正４９】
【補正対象書類名】明細書
【補正対象項目名】００５８
【補正方法】変更
【補正の内容】
【００５８】
［請求項１０の発明］
請求項１０の発明によれば、リフターによってすくい上げられた処理対象物を、第１回転室の筒内中心部に生成させた、プラズマ、光エネルギー、加熱水蒸気、ミスト、火炎、イオン、ガス、塗料、その他の処理雰囲気の中を通過させることができる。
【手続補正５０】
【補正対象書類名】明細書
【補正対象項目名】００５９
【補正方法】変更
【補正の内容】
【００５９】
［請求項１１の発明］
請求項１１の発明によれば、噴射ノズルから噴射された噴射物質を反射して第１回転室の比較的広い範囲に行き渡らせることができる。また、処理対象物を噴射物質と共に噴射ノズルから第１回転室に供給した場合に、処理対象物を受け止めて第１回転室内に貯めることができる。
【手続補正５１】
【補正対象書類名】明細書
【補正対象項目名】００６０
【補正方法】変更
【補正の内容】
【００６０】
［請求項１４の発明］
請求項１４の発明によれば、第１回転室内に貯留された凝固液中に、センター孔を通して金属、樹脂その他の溶融物の液滴又は、凝固液との接触で凝固可能な溶液の液滴が注がれることで、粒状物質を製造することができる。ここで、凝固液とは、液滴注出手段から供給された液滴と接触することでその液滴を凝固（冷却による凝固や化学反応による凝固及び、異種物質界面操作を含む）させることが可能な液体のことである。具体的には、金属、樹脂その他の溶融物の液滴を凝固（冷却凝固）させる場合、凝固液は水でよい。また、液滴注出手段によって注がれた液滴と化学反応をすることで液滴を凝固（例えば、ゲル化）させる溶液を凝固液としてもよい。
【手続補正５２】
【補正対象書類名】明細書
【補正対象項目名】００６１
【補正方法】変更
【補正の内容】
【００６１】
［請求項１５の発明］
請求項１５の発明によれば、第２回転室に貯留した凝固液を、筒形回転容器の正回転によって第１回転室に送給することができる。
【手続補正５３】
【補正対象書類名】明細書
【補正対象項目名】００６２
【補正方法】変更
【補正の内容】
【００６２】
［請求項１６の発明］
請求項１６の発明によれば、第２回転室に貯留された凝固液を一定量に保持することができる。
【手続補正５４】
【補正対象書類名】明細書
【補正対象項目名】００６３
【補正方法】変更
【補正の内容】
【００６３】
［請求項１７の発明］
請求項１７の発明によれば、筒形回転容器の回転によってバケットが汲み上げた冷却水で、筒形回転容器を外側から冷やすことができる。
【手続補正５５】
【補正対象書類名】明細書
【補正対象項目名】００６４
【補正方法】変更
【補正の内容】
【００６４】
［請求項１８の発明］
請求項１８の発明によれば、吹付ノズルから噴出した霧、液、ガス等を第１回転室の下部に溜まった処理対象物に向けて吹き付けることができる。
【手続補正５６】
【補正対象書類名】明細書
【補正対象項目名】００６５
【補正方法】変更
【補正の内容】
【００６５】
［請求項１９の発明］
請求項１９の発明によれば、リフターによってすくい上げられた処理対象物を、流下樋に落下させて、外部に排出することができる。
【手続補正５７】
【補正対象書類名】明細書
【補正対象項目名】００６６
【補正方法】変更
【補正の内容】
【００６６】
［請求項２０の発明］
請求項２０の発明によれば、第１回転室の下部に溜まっている処理対象物をリフターですくい上げて、回転中の粉砕ブレードに向けて落下させることで、処理対象物の粉砕を行うことができる。
【手続補正５８】
【補正対象書類名】明細書
【補正対象項目名】００６７
【補正方法】削除
【補正の内容】
【手続補正５９】
【補正対象書類名】明細書
【補正対象項目名】００６８
【補正方法】変更
【補正の内容】
【００６８】
［請求項２１の発明］
請求項２１の発明によれば、筒形回転容器を外側から加熱することができる。なお、本発明における加熱源としては、ヒーター、バーナー等が挙げられる。
【手続補正６０】
【補正対象書類名】明細書
【補正対象項目名】００６９
【補正方法】変更
【補正の内容】
【００６９】
［請求項２２の発明］
請求項２２の発明によれば、第１回転室内の処理対象物を内部ヒーターによって加熱することができる。又は、光エネルギーで処理対象物の処理を行うことができる。又は、ガス噴射ノズルから噴射されたガス雰囲気下で処理対象物の処理を行うことができる。
【手続補正６１】
【補正対象書類名】明細書
【補正対象項目名】００７０
【補正方法】削除
【補正の内容】
【手続補正６２】
【補正対象書類名】明細書
【補正対象項目名】００７１
【補正方法】削除
【補正の内容】
【手続補正６３】
【補正対象書類名】明細書
【補正対象項目名】００７２
【補正方法】変更
【補正の内容】
【００７２】
［請求項２３の発明］
請求項２３の発明によれば、筒形回転容器を正回転させた場合に、第１回転室内の処理対象物が、サブ移送路を通ってインナーコーン内に送給され、インナーコーンを通過する過程で、処理対象物が粒径によって篩い分け（分級）される。即ち、インナーコーンの篩目を通過した処理対象物は、アウターコーンの内側を通って排出大開口から第２回転室外に排出される。一方、インナーコーンの篩目を通過しなかった処理対象物は、第１終端壁の戻し孔を通って第１回転室に戻される。
また、筒形回転容器の回転により、第１回転室内に収容した粉砕メディアによって処理対象物が粉砕され、その粉砕された処理対象物が、インナーコーンによって分級される。ここで、粉砕メディアは処理対象物と共にインナーコーンに送給されるが、インナーコーンの篩目を通過しないので第１回転室に戻される。
【手続補正６４】
【補正対象書類名】明細書
【補正対象項目名】００７３
【補正方法】削除
【補正の内容】
【手続補正６５】
【補正対象書類名】明細書
【補正対象項目名】００７４
【補正方法】削除
【補正の内容】
【手続補正６６】
【補正対象書類名】明細書
【補正対象項目名】００７５
【補正方法】変更
【補正の内容】
【００７５】
［請求項２４の発明］
請求項２４の発明によれば、筒形回転容器の回転に伴って充填部材の空隙を流下する液状の処理対象物にガスを接触させることができる。具体的には、空気によって処理対象物の水分を蒸発させて処理対象物を濃縮する濃縮器又は、充填部材に生物触媒（例えば、好気性菌、嫌気性菌）を定着させ、酸素過多空気（好気性菌の場合）又は無酸素ガス（嫌気性菌の場合）を接触させるバイオリアクターとして利用することができる。又は、溶媒を処理ガスと接触させて化合物を生成する反応装置として利用することができる。
【手続補正６７】
【補正対象書類名】明細書
【補正対象項目名】００７６
【補正方法】変更
【補正の内容】
【００７６】
［請求項２５の発明］
請求項２５の発明によれば、ガイドパイプ内を往復動する打撃子が、筒形回転容器に衝撃を与えることで、筒形回転容器の内面に付着した付着物を払い落とすことができる。
【手続補正６８】
【補正対象書類名】明細書
【補正対象項目名】００７７
【補正方法】変更
【補正の内容】
【００７７】
［請求項２６の発明］
請求項２６の発明によれば、筒形回転容器から排気されたガスに含まれる粒子状物質を除去することができる。ここで、フィルター集塵部は、その濾過性能を維持するために、定期的に逆洗を行ってフィルターに付着した粒子状物質を払い落とす必要があるが、フィルター集塵部を１つしか備えていない場合には、逆洗を行う圧縮エアーにより吸引元の圧力変動が発生するため、逆洗を行っている間、そのフィルター集塵部による集塵を中断せざるを得ず、筒形回転容器による処理も中断する必要がある。これに対し、本発明によれば、フィルター集塵部を２つ備え、それら２つの何れか一方と遠心力集塵部との間を連通させ、他方と遠心力集塵部との間を遮断することができるから、他方のフィルター集塵部で逆洗を行いながら、一方のフィルター集塵部と遠心力集塵部とで粒子状物質の集塵を行うことができる。これにより、筒形回転容器による処理をフィルター集塵部の逆洗に拘わらず、連続的に行うことができる。
【手続補正６９】
【補正対象書類名】明細書
【補正対象項目名】００７８
【補正方法】変更
【補正の内容】
【００７８】
［請求項２８の発明］
請求項２８の発明によれば、筒形回転容器に対して相対回転する撹拌部材によって、第１回転室内の処理対象物を撹拌することができる。
【手続補正７０】
【補正対象書類名】明細書
【補正対象項目名】００７９
【補正方法】変更
【補正の内容】
【００７９】
［請求項２９の発明］
請求項２９の発明によれば、処理対象物の電気めっき処理や電解研磨処理等を行うことが可能になる。
【手続補正７１】
【補正対象書類名】明細書
【補正対象項目名】００８０
【補正方法】変更
【補正の内容】
【００８０】
［請求項３０の発明］
請求項３０の発明によれば、第１回転室に貯留された液体を撹拌板で撹拌することで、液体中に気泡を取り込むと共に、放電電極対の間で放電を行うことで、液中プラズマを発生させることが可能になる。
【手続補正７２】
【補正対象書類名】明細書
【補正対象項目名】００８１
【補正方法】変更
【補正の内容】
【００８１】
［請求項３１の発明］
請求項３１の発明によれば、陰極電極の近傍にプラズマを発生させ、そのプラズマ熱によって陰極電極を局所的に融解させた後、導電性液体で凝固させることで、陰極電極と同じ材質のナノ微粒子を製造することが可能になる。
【手続補正７３】
【補正対象書類名】明細書
【補正対象項目名】００８２
【補正方法】変更
【補正の内容】
【００８２】
［請求項３２の発明］
請求項３２の発明によれば、第１回転室内に貯留された液体中にアンテナが浸かった状態で、マイクロ波を照射することで、液中プラズマを発生させることが可能になる。
【手続補正７４】
【補正対象書類名】明細書
【補正対象項目名】００８３
【補正方法】変更
【補正の内容】
【００８３】
［請求項３３の発明］
請求項３３の発明によれば、超音波と光の何れか一方又は両方のエネルギーによって処理対象物の処理を行うことが可能になる。
【手続補正７５】
【補正対象書類名】明細書
【補正対象項目名】００８４
【補正方法】変更
【補正の内容】
【００８４】
［請求項３４の発明］
請求項３４の発明によれば、熱交換ジャケット内を循環する熱媒体によって第１回転室内の処理対象物を加熱又は冷却することができる。
【手続補正７６】
【補正対象書類名】明細書
【補正対象項目名】００８５
【補正方法】変更
【補正の内容】
【００８５】
［請求項３５の発明］
請求項３５の発明によれば、筒形回転部材の内部構造が複雑になっても比較的容易に製造することができる。また、複数の容器構成体にばらすことで、目や手の届き難い場所のメンテナンスを容易に行うことが可能になる。
【手続補正７７】
【補正対象書類名】明細書
【補正対象項目名】００８６
【補正方法】変更
【補正の内容】
【００８６】
［請求項３６の発明］
請求項３６の発明によれば、処理対象物の種類や処理内容に応じて、筒形回転容器の構造を容易にカスタマイズすることができる。
【手続補正７８】
【補正対象書類名】明細書
【補正対象項目名】０１５３
【補正方法】変更
【補正の内容】
【０１５３】
［第４実施形態］
図３４〜図３６に基づいて本発明の第４実施形態を説明する。以下の説明では、第１〜第３実施形態との相違点のみを説明し、同一部位については同一符号を付すことで重複した説明は省略する。
【手続補正７９】
【補正対象書類名】明細書
【補正対象項目名】０４３８
【補正方法】変更
【補正の内容】
【０４３８】
１０    筒形回転容器
１１    筒壁
１２    第１始端壁
１２Ａ    センター孔
１４    第１終端壁
１４Ａ    通気孔
１５    第１回転室
１６    第２回転室
１７    第１螺旋ガイド
１８    第２螺旋ガイド
１９    椀形反射部材
１９Ｓ    反射部材支持突部
２０    リフター
２３    移送ダクト
２３Ｒ    移送路
２４    第１終端開口
２５    第２始端開口
２７    第１サブ螺旋ガイド
３１    モータ（回転方向切替手段）
３２    固定蓋
３２Ａ    第２終端壁
３２Ｂ    排気口
３２Ｃ    排出口
３３    ヒーター（加熱源）
３６    フィーダー
３６Ｐ    供給管
４０    過熱水蒸気発生装置
４１    過熱水蒸気トーチ
４２    プラズマ発生装置
４２Ａ    プラズマトーチ
４６    スプレーノズル
４９    バーナー
５０    冷却水貯留容器
５１    バケット
６１    吹付ノズル
６２    内部ヒーター
６６    サブ移送ダクト
６７    サブ移送路
６８    第１終端サブ開口
６９    第２始端サブ開口
７０    冷却水供給管
９０    ボールタップ
９１    浮球
１００    容器回転装置
２２１    回転シャフト
２２２    粉砕ブレード
２３１    アウターコーン
２３２    トロンメル（インナーコーン）
２３６    粉砕メディア
２７０    排出樋
３３０    第２終端壁
３３７    処理対象物供給口
４０１    ガイドパイプ
４０２    磁気吸着部
４０３    ピン挿通孔
４１０    打撃子
４１２    押圧ピン
４２０    押圧レバー
４３０    被打撃部
４３１    ハンマー
４３２    支持ベース
５０１    遠心力集塵機（遠心力集塵部）
５４０    フィルターユニット（フィルター集塵部）
５５３    フィルター
５６１    粒子貯留容器
５７０    切替バルブ
６０１    回転受容部
６６０    撹拌部材
６６１    回転シャフト
６７０    回転螺旋ガイド（撹拌部材）
６７１    回転シャフト
６８０    撹拌子（撹拌部材）
６８１    回転シャフト
６９１〜６９４    容器構成体
７０１〜７０４    容器構成体
７４０    リング形電極
７５１    撹拌板
７５４    放電ピース（放電電極）
７６３    中心電極（陰極電極）
７６４    対向電極（陽極電極）
７９０，７９１    マイクロ波照射装置
７９４    アンテナ
８０２    超音波放射体（超音波放射手段）
８０３    光ファイバー（光照射手段）
９２０    熱交換ジャケット
【手続補正８０】
【補正対象書類名】図面
【補正対象項目名】図２９
【補正方法】変更
【補正の内容】
【図２９】
2014094380.tif 000001